(57)【要約】【課題】物品を包み込む、断面が台形の筒状のスリーブにおいて、物品に巻き付けて貼着するのではなく、あらかじめ貼着して筒状にしておくことができ、物品を包装しやすいスリーブを提供する。【解決手段】天面板１と、天面板に対向し長さの異なる底面板２と、天面板と底面板の間に設けられた、左側面板３と右側面板４を有し、貼着板５で筒状になるように貼着され、筒状の断面が台形になっているスリーブ１００であって、それぞれの面板、貼着板の間の組み立て用折り目線ａ、ｂ、ｃ、ｄのほかに、一本の折り畳み用折り目線ｅが設けられていて、折り畳み用折り目線ｅと、組み立て用折り目線ａとを折って、貼着板５が所定の位置の左側面板３に貼着されている。【選択図】図３
2015063312.tif 000002
【特許請求の範囲】
【請求項１】
天面板と、該天面板に対向し長さの異なる底面板と、該天面板と該底面板の間に設けられた、左側面板と右側面板を有し、貼着板で筒状になるように貼着され、筒状の断面が台形になっているスリーブであって、
それぞれの面板、貼着板の間に設けられた組み立て用折り目線の他に、一本の折り畳み用折り目線が設けられていて、該折り畳み用折り目線と、いずれか一本の前記組み立て用折り目線とを折って重ね合わせ、前記貼着板が所定の位置に貼着されていることを特徴とするスリーブ。
【請求項２】
前記折り畳み用折り目線が、前記左側面板と前記右側面板のいずれかに設けられていることを特徴とする請求項１に記載のスリーブ。
【請求項３】
前記折り畳み用折り目線が設けられていない、前記左側面板と前記右側面板のいずれかに、前記貼着板が貼着されていることを特徴とする請求項２に記載のスリーブ。
【発明の詳細な説明】
【技術分野】
【０００１】
本発明は、スリーブに関するものである。詳しくは物品を筒状に包み込み包装するスリーブに関するものである。
【背景技術】
【０００２】
物品を筒状に包み込み包装するスリーブは、トレー容器、カップ容器や、紙箱などの物品を包むのに古くより用いられてきた。そして、スリーブに美装性の高い印刷などの装飾を施し、全体として高級なイメージの包装容器としたものがあった。
【０００３】
特にプラスチック製などのトレー容器などでは、容器自体に美装性の高い印刷を施すことは、容易ではないので、高級品イメージを出すために紙製のスリーブに印刷を施して用いられている。
【０００４】
例えば、容器の周壁外面が反射面とされるとともに、スリーブの内面に模様が形成され、この模様の反射面における反射像が外から見える外箱（スリーブ）付き容器がある。この容器は、上端から下端に向かって徐々に径が大きく形成されたテーパー状で、下端には外方に突出した基台が設けられている。
【０００５】
そのため、スリーブは、正面から見て（筒状の断面が）、台形になっている。そして、下面部は左右の構成片からなっていて、一方の構成片に設けられた孔に他方の構成片に設けられた舌片を挿入して係合し、下面部を形成するようになっている（特許文献１）。
【０００６】
また、スリーブとなる帯状体の長手方向両端部の板面の端縁のそれぞれから長手方向に沿って切込んで、かつ、先端を幅方向に切込んだ、対をなすＬ字状の切込み部を、幅方向に離間して設けることによって中央片部、および、両側片部からなる引掛部を形成し、両端部の各片部を互い違いに重合させて幅方向に沿って相対的にずらすことによって両端部の切込み部の先端が互いに係合して筒状に形成されるようにしたスリーブもある（特許文献２）。
【０００７】
これらのスリーブは、筒状の断面がいずれも台形であって、容器を収納して包装する場合、容器を包むように巻いて、端部を係合して包装している。一方、係合する代わりに、端部に貼着板を設けておき、この貼着板で貼って、筒状にするスリーブがある。
【０００８】
この場合、容器を包むように巻いて、貼着板で貼ってスリーブにする包装機によって、包装するのが一般的であり、スリーブ包装機が必要であった。しかし、小ロットの生産においても、スリーブ包装機を用いることは、当該スリーブ用に設定するわずらわしさがあり、何よりもスリーブ包装機が必要であった。
【０００９】
スリーブ包装機を用いない場合は、あらかじめ貼着板で貼って筒状にしておき、物品を筒に挿入することで、スリーブでの包装ができる、しかし、筒状の断面が台形となるものでは、あらかじめ貼着板で貼って筒状にするために、紙箱の製函のサック貼り工程で行おうとしても、スリーブの帯状体（ブランク）を、各面板や貼着板の間の折り目線で折って、貼着板を所定の位置に貼ることはできないという問題であった。
【００１０】
公知文献を以下に示す。
【先行技術文献】
【特許文献】
【００１１】
【特許文献１】特開昭５８−１３４８７１号公報
【特許文献２】実公昭６３−４４３７０号公報
【発明の概要】
【発明が解決しようとする課題】
【００１２】
本発明は上記のような事情に鑑みてなされたもので、物品を包み込む、断面が台形の筒状のスリーブにおいて、物品に巻き付けて貼着するのではなく、あらかじめ貼着して筒状にしておくことができ、これに物品を挿入して、容易に包装できるスリーブを提供することを課題としている。
【課題を解決するための手段】
【００１３】
本発明は係る課題に鑑みなされたものであり、請求項１の発明は、天面板と、該天面板に対向し長さの異なる底面板と、該天面板と該底面板の間に設けられた、左側面板と右側面板を有し、貼着板で筒状になるように貼着され、筒状の断面が台形になっているスリーブであって、
それぞれの面板、貼着板の間に設けられた組み立て用折り目線の他に、一本の折り畳み用折り目線が設けられていて、該折り畳み用折り目線と、いずれか一本の前記組み立て用折り目線とを折って重ね合わせ、前記貼着板が所定の位置に貼着されていることを特徴とするスリーブである。
【００１４】
本発明のスリーブは、以上のような構成であって、物品を包み込むスリーブの断面が台形の筒状あっても、物品に巻き付けて貼着板を貼着するのではなく、あらかじめ貼着して筒状にしておくことができ、物品を包装しやすい。
【００１５】
本発明の請求項２の発明は、前記折り畳み用折り目線が、前記左側面板と前記右側面板のいずれかに設けられていることを特徴とする請求項１に記載のスリーブである。
【００１６】
本発明は、折り畳み用折り目線が、左側面板と右側面板のいずれかに設けられているので、天面板に設けて天面板が折れ曲がって見苦しくなったり、底面板に設けて、置いた時に底面が傾いたりすることがない。
【００１７】
本発明の請求項３の発明は、前記折り畳み用折り目線が設けられていない、前記左側面板と前記右側面板のいずれかに、前記貼着板が貼着されていることを特徴とする請求項２に記載のスリーブである。
【００１８】
本発明は、折り畳み用折り目線が設けられていない、左右いずれかの側面板に貼着板が貼着されているので、貼着板が折り畳み用折り目線に掛かって、折り畳み用折り目線が折れなくなることがない。
【発明の効果】
【００１９】
本発明のスリーブは、断面が台形であるのに、物品に巻き付けて貼着するのではなく、あらかじめ貼着して筒状にしておくことが容易にでき、物品を包装しやすい。このため、物品に巻き付けて貼着するスリーブ包装機を用いなくとも、あらかじめ貼着し筒状にしたスリーブのなかに物品を挿入することで、容易にスリーブで包装できる。
【図面の簡単な説明】
【００２０】
【図１】本発明のスリーブの一例を模式的に示した説明図である。（Ａ）平面図である。（Ｂ）正面図である。
【図２】本発明のスリーブの一例の展開したブランクを模式的に示した説明図である。
【図３】本発明のスリーブの一例のブランクを折って貼着板を貼着した状態を模式的に示した説明図である。（Ａ）平面図である。（Ｂ）正面図である。
【図４】本発明のスリーブの一例で、物品を挿入し、包装した状態を模式的に示した説明図である。（Ａ）平面図である。（Ｂ）正面図である。
【発明を実施するための形態】
【００２１】
以下、本発明を実施するための形態につき説明する。
図１は、本発明のスリーブの一例を模式的に示した説明図である。（Ａ）平面図である。（Ｂ）正面図である。
【００２２】
本例のスリーブ１００は、図１（Ａ）平面図、（Ｂ）正面図のように、天面板１と、天面板１に対向し、長さが異なり短い底面板２と、天面板１と底面板２の間に設けられた、左側面板３と右側面板４を有し、貼着板５が左側面板３の裏面に貼着されて筒状になり、筒状の断面が、図１（Ｂ）のように、台形になっている。
【００２３】
図２は、本発明のスリーブの一例の展開したブランクを模式的に示した説明図である。
【００２４】
本例のスリーブ１００は、図２のブランク１０１を、折り目線に沿って折り曲げ、貼着板５を貼着して組み立てられている。ブランク１０１は、図の左側から、左側面板３、天面板１、右側面板４、底面板２、貼着板５が連設されている。
【００２５】
左側面板３と天面板１の間には、組み立て用折り目線ａが設けられ、天面板１と右側面板４の間には、組み立て用折り目線ｂが設けられ、右側面板４と底面板２の間には、組み立て用折り目線ｃが設けられ、底面板２と貼着板５の間には、組み立て用折り目線ｄが設けられている。
【００２６】
右側面板４には、折り畳み用折り目線ｅが設けられている。折り畳み用折り目線ｅの位置は、組み立て用折り目線ａから組み立て用折り目線ｂを通って折り畳み用折り目線ｅにいたる長さＹが、左側面板３の長さＸと組み立て用折り目線ｄから組み立て用折り目線ｃを通って折り畳み用折り目線ｅにいたる長さＺを足した長さと等しくなる位置に設けられている（Ｙ＝Ｘ＋Ｚ）。
【００２７】
これら組み立て用折り目線ａ、ｂ、ｃ、ｄや折り畳み用折り目線ｅは、押罫や、断続した切れ目、あるいは、断続した切れ目と切れ目の間のつなぎ部に押罫の設けられたリード罫などにより設けられている。
【００２８】
また、組み立て用折り目線ａの中央部分には、左側面板３側に凸のコの字型の切れ込み６が設けられ、また、組み立て用折り目線ｂの中央部分には、右側面板４側に凸のコの字型の切れ込み７が設けられている。
【００２９】
以下、ブランク１０１からスリーブ１００を組み立てる方法について説明する。
図３は、本発明のスリーブの一例のブランクを折って貼着板を貼着した状態を模式的に示した説明図である。（Ａ）平面図である。（Ｂ）正面図である。
【００３０】
図２のブランク１０１の折り畳み用折り目線ｅを内方に折り曲げ、次に、組み立て用折り目線ａを内方に折り曲げる。このようにすると、前述のように、長さＹが、長さＸと長さＺを足した長さに等しくなっているので、図３のように、貼着板５が所定の位置の左面板３に重なる。
【００３１】
このときあらかじめ、貼着板５のおもて面に接着剤を塗布しておいて、重ねたときに貼
着するようにしておく。接着剤には、水性エマルジョンのグルーや、ホットメルト接着剤などが使用できる。接着剤を用いて貼着板５を貼着することによって、輸送などの時に包装した物品からスリーブがとれることがない。
【００３２】
このように、組み立て用折り目線ａ、ｂ、ｃ、ｄの他に、１本の折り畳み用折り目線ｅを設けることによって、一般的に紙器の製函で行われているサック貼り工程で、貼着板５の貼着を行うことができる。
【００３３】
このため、貼着板５の貼着のために特別な治具や装置を用いることなく、また、スリーブ包装機を使用せずに包装できるので、スリーブ包装機を用意したり、スリーブ包装機の設定を行ったりする必要がなく、小ロットのスリーブ包装が容易にできる。
【００３４】
このように貼着して筒状にすることによって、スリーブ１００が組み立て上がるので、組み立て用折り目線ｂ、組み立て用折り目線ｃ、組み立て用折り目線ｄをそれぞれ内方に曲げ、折り畳み用折り目線ｅでの折りを平に伸ばして、スリーブ１００を起こすと、図１（Ａ）、（Ｂ）のように、筒状の断面が台形になる。
【００３５】
図４は、本発明のスリーブの一例で、物品を挿入し、包装した状態を模式的に示した説明図である。（Ａ）平面図である。（Ｂ）正面図である。
尚、物品を図では点線で表している。
【００３６】
上記のように筒状の断面が台形になったスリーブ１００に、物品２００を挿入して、図４（Ａ）、（Ｂ）のように、物品２００がスリーブ１００でスリーブ包装された包装体ができる。このとき、スリーブ１００は、折り畳み用折り目線ｅで曲がりやすくなっているので、物品２００が挿入しやすくなっている。
【００３７】
本例の物品２００は、プラスチックで成形され、内容物が充填されたトレー状の容器本体と、容器本体の開口部に設けられたフランジ部にシールされた蓋材とからなっている。物品２００の容器本体は、上面が楕円形でフランジ部を有していて、その開口部より、底部へ向けてテーパーを設けて小さくなっている。そのため、図４（Ｂ）のように、断面が台形のスリーブ１００に安定して包装されている。
【００３８】
また、図４（Ａ）のように、スリーブ１００の切れ込み６、７により開けられたスリットに物品２００のフランジ部の両端部分が入り込み、物品２００がスリーブ１００に固定されている。このようになっているので、物品２００はスリーブ１００の中で固定され、安定して、搬送中などに外れて落ちてしまうことがない。
【００３９】
以上のように、本発明のスリーブは、断面が台形の筒状であっても、あらかじめ、組み立て用折り目線のほかに設けた１本の折り畳み用折り目線を用いて、組み立て用折り目線の一本と、折り畳み用折り目線とを折ることによって、貼着板を所定の位置に重ねて貼着させることができ、一般的な紙器のサック貼り工程で製造することができる。
【００４０】
そして、この貼着板を貼着させ筒状にしたスリーブに、物品を挿入して容易に包装することができるので、物品に巻き付けて貼着するスリーブ包装機を用いなくとも、スリーブで包装することができる。
【００４１】
また、スリーブ包装機を用いる必要がないので、スリーブ包装機を用意したり、スリーブ包装機の設定を行ったりする必要がなく、スリーブ包装された小ロットの包装体の製造が容易にできる。
【００４２】
また、折り畳み用折り目線を、左側面板と右側面板のいずれかに設けることによって、天面板に設けて、天面板が折れ曲がって見苦しくなったり、底面板に設けて、置いた時に底面が傾いたりすることがない。
【００４３】
更に、折り畳み用折り目線が設けられていない、左右いずれかの側面板に貼着板を貼着させることによって、貼着板が折り畳み用折り目線に掛かって、折り畳み用折り目線が折れなくなったりすることがない。
【符号の説明】
【００４４】
１００・・・スリーブ
１０１・・・ブランク
１・・・天面板
２・・・底面板
３・・・左側面板
４・・・右側面板
５・・・貼着板
６、７・・・切れ込み
ａ、ｂ、ｃ、ｄ・・・組み立て用折り目線
ｅ・・・折り畳み用折り目線
Ｘ、Ｙ、Ｚ・・・長さ
【図１】
2015063312.tif 000003
【図２】
2015063312.tif 000004
【図３】
2015063312.tif 000005
【図４】
2015063312.tif 000006